【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
第１の記憶装置及び第２の記憶装置に記憶制御装置を介して接続される情報処理装置であって、
前記記憶制御装置がシングルモードで動作している際に、前記記憶制御装置の初期リビルド機能をオフに指定する指定手段と、
前記記憶制御装置の初期リビルド機能がオフに指定された状態で、前記記憶制御装置にミラーリングモードへの移行を指示する指示手段と、
前記指示手段が前記記憶制御装置にミラーリングモードへの移行を指示した後に、前記第２の記憶装置のパスワードを生成する生成手段と、
前記生成手段により生成されたパスワードを前記第２の記憶装置に設定する設定手段と、
前記設定手段が前記パスワードを前記第２の記憶装置に設定した後に、前記記憶制御装置をリビルドステートへ移行させる移行手段とを有することを特徴とする情報処理装置。
【請求項２】
前記記憶制御装置は、
シングルモードで動作している際において、
前記初期リビルド機能がオンの状態で前記ミラーリングモードへの移行が指示された場合には、リビルドステートに移行し、
前記初期リビルド機能がオンの状態で前記ミラーリングモードへの移行が指示された場合には、ミラーステートに移行することを特徴とする請求項１に記載の情報処理装置。
【請求項３】
前記第２の記憶装置は、
電源がオンになった際に、当該第２の記憶装置に設定されたパスワードと前記情報処理装置に保持されたパスワードを比較して認証を行い、
当該認証に成功した場合には、当該第２の記憶装置へのアクセスを許可し、
当該認証に失敗した場合には、当該第２の記憶装置へのアクセスを禁止することを特徴とする請求項１又は２に記載の情報処理装置。
【請求項４】
前記記憶制御装置をミラーリングモードへ移行させる指示を受け付ける受付手段を更に有し、
前記指定手段は、前記受付手段が前記指示を受け付けたことに応じて、前記記憶制御装置の初期リビルド機能をオフに指定することを特徴とする請求項１乃至３の何れか１項に記載の情報処理装置。
【請求項５】
前記第２の記憶装置に前記パスワードが設定されるまで、当該第２の記憶装置に対する外部からのアクセスを禁止する禁止手段を更に有することを特徴とする請求項１乃至４の何れか１項に記載の情報処理装置。
【請求項６】
第１の記憶装置及び第２の記憶装置に記憶制御装置を介して接続される情報処理装置であって、
前記記憶制御装置がデグレードステートで動作している際に、前記記憶制御装置の自動リビルド機能をオフに指定する指定手段と、
前記記憶制御装置の初期リビルド機能がオフに指定された状態で、前記情報処理装置に前記第２の記憶装置が接続されたことを検知する検知手段と、
前記検知手段が前記第２の記憶装置が前記情報処理装置に接続されたことを検知した後に、前記第２の記憶装置のパスワードを生成する生成手段と、
前記生成手段により生成されたパスワードを前記第２の記憶装置に設定する設定手段と、
前記設定手段が前記パスワードを前記第２の記憶装置に設定した後に、前記記憶制御装置をリビルドステートへ移行させる移行手段とを有することを特徴とする情報処理装置。
【請求項７】
前記記憶制御装置は、
デグレードステートで動作している際において、
前記自動リビルド機能がオンの状態で前記情報処理装置に前記第２の記憶装置が接続されたことが検知された場合には、リビルドステートに移行し、
前記自動リビルド機能がオフの状態で前記情報処理装置に前記第２の記憶装置が接続されたことが検知された場合には、デグレードステートのままになることを特徴とする請求項６に記載の情報処理装置。
【請求項８】
前記第２の記憶装置は、
電源がオンになった際に、当該第２の記憶装置に設定されたパスワードと前記情報処理装置に保持されたパスワードを比較して認証を行い、
当該認証に成功した場合には、当該第２の記憶装置へのアクセスを許可し、
当該認証に失敗した場合には、当該第２の記憶装置へのアクセスを禁止することを特徴とする請求項６又は７に記載の情報処理装置。
【請求項９】
前記情報処理装置から前記第２の記憶装置が取り外されたことを検出する検出手段を更に有し、
前記指定手段は、前記検出手段が前記情報処理装置から前記第２の記憶装置が取り外されたことを検出したことに応じて、前記記憶制御装置の自動リビルド機能をオフに指定することを特徴とする請求項６乃至８の何れか１項に記載の情報処理装置。
【請求項１０】
前記第２の記憶装置に前記パスワードが設定されるまで、当該第２の記憶装置に対する外部からのアクセスを禁止する禁止手段を更に有することを特徴とする請求項１乃至９の何れか１項に記載の情報処理装置。
【請求項１１】
第１の記憶装置及び第２の記憶装置に記憶制御装置を介して接続される情報処理装置の制御方法であって、
前記記憶制御装置がシングルモードで動作している際に、前記記憶制御装置の初期リビルド機能をオフに指定する指定工程と、
前記記憶制御装置の初期リビルド機能がオフに指定された状態で、前記記憶制御装置にミラーリングモードへの移行を指示する指示工程と、
前記指示工程により前記記憶制御装置にミラーリングモードへの移行を指示した後に、
前記第２の記憶装置のパスワードを生成する生成工程と、
前記生成工程により生成されたパスワードを前記第２の記憶装置に設定する設定工程と、
前記設定工程が前記パスワードを前記第２の記憶装置に設定した後に、前記記憶制御装置をリビルドステートへ移行させる移行工程とを有することを特徴とする制御方法。
【請求項１２】
第１の記憶装置及び第２の記憶装置に記憶制御装置を介して接続される情報処理装置の制御方法であって、
前記記憶制御装置がデグレードステートで動作している際に、前記記憶制御装置の自動リビルド機能をオフに指定する指定工程と、
前記記憶制御装置の初期リビルド機能がオフに指定された状態で、前記情報処理装置に前記第２の記憶装置が接続されたことを検知する検知工程と、
前記検知工程により前記第２の記憶装置が前記情報処理装置に接続されたことを検知した後に、前記第２の記憶装置のパスワードを生成する生成工程と、
前記生成工程により生成されたパスワードを前記第２の記憶装置に設定する設定工程と、
前記設定工程が前記パスワードを前記第２の記憶装置に設定した後に、前記記憶制御装置をリビルドステートへ移行させる移行工程とを有することを特徴とする制御方法。
【請求項１３】
第１の記憶装置及び第２の記憶装置に記憶制御装置を介して接続される情報処理装置に、前記記憶制御装置がシングルモードで動作している際に、前記記憶制御装置の初期リビルド機能をオフに指定する指定工程と、
前記記憶制御装置の初期リビルド機能がオフに指定された状態で、前記記憶制御装置にミラーリングモードへの移行を指示する指示工程と、
前記指示工程により前記記憶制御装置にミラーリングモードへの移行を指示した後に、前記第２の記憶装置のパスワードを生成する生成工程と、
前記生成工程により生成されたパスワードを前記第２の記憶装置に設定する設定工程と、
前記設定工程が前記パスワードを前記第２の記憶装置に設定した後に、前記記憶制御装置をリビルドステートへ移行させる移行工程とを実行させるためのプログラム。
【請求項１４】
第１の記憶装置及び第２の記憶装置に記憶制御装置を介して接続される情報処理装置に、
前記記憶制御装置がデグレードステートで動作している際に、前記記憶制御装置の自動リビルド機能をオフに指定する指定工程と、
前記記憶制御装置の初期リビルド機能がオフに指定された状態で、前記情報処理装置に前記第２の記憶装置が接続されたことを検知する検知工程と、
前記検知工程により前記第２の記憶装置が前記情報処理装置に接続されたことを検知した後に、前記第２の記憶装置のパスワードを生成する生成工程と、
前記生成工程により生成されたパスワードを前記第２の記憶装置に設定する設定工程と、
前記設定工程が前記パスワードを前記第２の記憶装置に設定した後に、前記記憶制御装置をリビルドステートへ移行させる移行工程とを実行させるためのプログラム。
【手続補正２】
【補正対象書類名】明細書
【補正対象項目名】０００５
【補正方法】変更
【補正の内容】
【０００５】
本発明に係る情報処理装置は、第１の記憶装置及び第２の記憶装置に記憶制御装置を介して接続される情報処理装置であって、前記記憶制御装置がシングルモードで動作している際に、前記記憶制御装置の初期リビルド機能をオフに指定する指定手段と、前記記憶制御装置の初期リビルド機能がオフに指定された状態で、前記記憶制御装置にミラーリングモードへの移行を指示する指示手段と、前記指示手段が前記記憶制御装置にミラーリングモードへの移行を指示した後に、前記第２の記憶装置のパスワードを生成する生成手段と、前記生成手段により生成されたパスワードを前記第２の記憶装置に設定する設定手段と、前記設定手段が前記パスワードを前記第２の記憶装置に設定した後に、前記記憶制御装置をリビルドステートへ移行させる移行手段とを有することを特徴とする。